(57)【要約】      （修正有）【課題】重量及び形状の大きい板材を取り付ける場合においても、取付位置の調整を容易にすることができるとともに、板材と取付具との取り付け時に生じる摩擦による損傷を防止することが可能であるキッチン用オイルガード及びそれを備えたキッチンを提供する。【解決手段】キッチン用オイルガード１０は、板材１１０と、板材をカウンター上面２１に固定する取付具１２０と、を備え、取付具は、板材の下端部１１１を保持する第一フレーム部材１２１及び第二フレーム部材１２２と、を有し、第一フレーム部材は、板材の下端部のダイニング側背面を押圧する第一押圧部１２１ａと、第一押圧部の下端から略直角方向に延設された板材を載置する台座部１２１ｄと、台座部をカウンター上面から所定の高さの位置で支持するキッチン側の前脚部１２１ｈ及びダイニング側の後脚部１２１ｉと、からなることを特徴とする。【選択図】図３
2019088556.tif 000002
【特許請求の範囲】
【請求項１】
板材と、該板材の下端部全体を保持してキッチンのカウンター上面に取り付ける取付具と、からなるキッチン用オイルガードであって、前記取付具は、前記板材の前記下端部全体のダイニング側背面を押圧する第一押圧部を有する第一フレーム部材と、前記板材の前記下端部全体のキッチン側正面を押圧する第二押圧部を有する第二フレーム部材と、の別体で形成され、前記第一フレーム部材は、前記第一押圧部の下端から略直角方向に延設された前記板材を載置する台座部と、該台座部をカウンター上面から所定の高さで支持するキッチン側の前脚部及びダイニング側の後脚部と、を有することを特徴とするキッチン用オイルガード。
【請求項２】
台座部は、キッチンのカウンター上面にねじ込んで第一フレーム部材を固定するための固定ネジを挿入するための開孔部を有することを特徴とする請求項１記載のキッチン用オイルガード。
【請求項３】
第一フレーム部材の第一押圧部及び第二フレーム部材の第二押圧部は、凸部を有するパッキンを介して板材を押圧する押圧面を備え、該押圧面は、前記パッキンの前記凸部を嵌合し得る凹条溝を有することを特徴とする請求項１又は２記載のキッチン用オイルガード。
【請求項４】
板材の上端部全体を保持し、レンジフード下面に固定する取付具を有することを特徴とする請求項１ないし３のいずれか一項に記載のキッチン用オイルガード。
【請求項５】
キッチンの対面側にダイニングが間取りされたキッチンと、該キッチンのカウンター上面に配設された加熱調理器と、該加熱調理器上方に配設されたレンジフードと、前記加熱調理器と前記ダイニングとを仕切るように取り付けられた請求項１ないし４のいずれか一項に記載のキッチン用オイルガードと、を有することを特徴とするキッチン。
【発明の詳細な説明】
【技術分野】
【０００１】
本発明は、キッチンのカウンター上面に固定された取付具によって板材の端部の全体を保持して、カウンター上面に板材を立設させたキッチン用オイルガード及びそれを備えたキッチンに関する。
【背景技術】
【０００２】
従来、コンロなどの加熱調理器で加熱調理中に生じる油はねによってキッチンの対面側に間取りされたダイニングが汚れないようにするとともに、加熱によって生じる煙・蒸気などをレンジフードに誘導するために、加熱調理器周辺のカウンターの上面とレンジフードとの間に設けられたオイルガード及びそれを備えたキッチンがある。
【０００３】
例えば、特許文献１には、レンジフード下端部に固定する上部５１と、この上部５１より下側に設けられパーティションの上端部に固定する下部５２と、からなる連結部材５０及びそれを用いたシステムキッチンが提案されている。
【０００４】
また、特許文献２には、キッチンカウンター２側とレンジフード５側の上下にそれぞれに取付けることができる横フレーム１１と、横フレーム１１の溝１１２１内にガスケット１３を嵌入して、そのガスケット１３の挟持片１３１の間に上下両端を挾み込んで固定される連結板１０を備えた対面型キッチンが提案されている。
【０００５】
また、特許文献３には、互いに対峙して衝立パネル５の下端部５ａを挟持するように分割された一対の台座部材４０及び挟込部材４１から構成される支柱部材４を備えたキッチン用スクリーンが提案されている。
【先行技術文献】
【特許文献】
【０００６】
【特許文献１】特開２０１３−１０４６３４号公報
【特許文献２】特開２０１１−２４４９１８号公報（特許第５５７８９３８号）
【特許文献３】特開２０１０−１１９５３号公報（特許第５２５５９２７号）
【発明の概要】
【発明が解決しようとする課題】
【０００７】
上述のキッチン用オイルガードを構成する板材は、カウンターの上面からレンジフードとの間までの高さの縦幅と、加熱調理器の幅と同程度以上の横幅とを有する板材であり、該板材は、加熱調理時に発生する熱による変形や腐食に対して耐久性を有するとともに、キッチンの対面側にダイニングが間取りされた空間を見渡せるように、ガラスなどの透明かつ硬質の材質を主体とする板材が用いられているため、重量及び形状（縦幅、横幅等）等が大きくなる。
【０００８】
そのような重量及び形状の大きい板材を特許文献１の連結部材でレンジフードに取り付ける場合、板材に固定された下部を、レンジフードに固定された上部に対して、上下左右方向に動かしながら取り付け位置の調整をしなければならず、板材の重量及び形状が大きくなるにつれて作業効率が低下する恐れがある。
【０００９】
また、特許文献２に記載された横フレームでカウンターの上面に取り付ける場合、側方から連結板を溝に挿入、又は、上方から溝に押し込むように連結板を取り付けるに際して連結板と横フレームとの接触によって生じる摩擦から連結板や横フレーム等が損傷してしまう恐れがある。
【００１０】
また、特許文献３に記載されたキッチン用スクリーンの挟込部材に衝立パネルを挟持させる場合、特許文献２に記載された横フレームと同様に、衝立パネルの取付位置を調整するために左右方向に移動させる際に、挟持部材と衝立パネルとの接触による摩擦から、挟持部材や衝立パネル等が損傷してしまう恐れがある。
【００１１】
したがって、重量及び形状の大きい板材を取り付ける場合においても、取付位置の調整を容易にすることができるとともに、板材と取付具との取り付け時の接触による摩擦からの損傷を防止することが可能であるキッチン用オイルガード及びそれを備えたキッチンを提供することが望まれている。
【課題を解決するための手段】
【００１２】
本発明は、上記課題に鑑み、板材と、該板材の下端部全体を保持してキッチンのカウンター上面に取り付ける取付具と、からなるキッチン用オイルガードであって、前記取付具は、前記板材の前記下端部全体のダイニング側背面を押圧する第一押圧部を有する第一フレーム部材と、前記板材の前記下端部全体のキッチン側正面を押圧する第二押圧部を有する第二フレーム部材と、の別体で形成され、前記第一フレーム部材は、前記第一押圧部の下端から略直角方向に延設された前記板材を載置する台座部と、該台座部を前記カウンター上面から所定の高さで支持するキッチン側の前脚部及びダイニング側の後脚部と、を有することを特徴とするキッチン用オイルガードである。
【００１３】
また、上述した構成に加え、台座部は、キッチンのカウンター上面にねじ込んで第一フレーム部材を固定するための固定ネジを挿入するための開孔部を有することが好ましい。
【００１４】
また、上述した構成に加え、第一フレーム部材の第一押圧部及び第二フレーム部材の第二押圧部は、凸部を有するパッキンを介して板材を押圧する押圧面を備え、該押圧面は、前記パッキンの前記凸部を嵌合し得る凹条溝を有することが好ましい。
【００１５】
また、上述した構成に加え、板材の上端部全体を保持し、レンジフード下面に固定する取付具を有することを特徴とするキッチン用オイルガードである。
【００１６】
また、キッチンの対面側にダイニングが間取りされたキッチンと、該キッチンのカウンター上面に配設された加熱調理器と、該加熱調理器上方に配設されたレンジフードと、前記加熱調理器と前記ダイニングとを仕切るように取り付けられた上述した構成からなるキッチン用オイルガードと、を有することを特徴とするキッチンである。
【発明の効果】
【００１７】
請求項１又は２記載の発明によれば、第一フレーム部材の台座部とカウンター上面とを固定ネジで固定することで、第一フレーム部材の前脚部及び後脚部に対して台座部の概ね中心位置を固定することで、板材の荷重を前脚部及び後脚部にバランスよく分散させ安定して仮置させることができ、それに伴って、第二フレーム部材の第二押圧部によって板材を挟持していない状態であるために板材の取付位置を容易に調整することができるとともに、取付具に取り付ける際に板材と取付具との接触によって生じる摩擦による損傷を防止することができるキッチン用オイルガードを提供することが可能である
【００１８】
請求項３又は４記載の発明によれば、押圧面の凹条部にパッキンを予め嵌合装着することで、板材と押圧面との隙間をしっかりと密閉かつ押圧保持することができるとともに、パッキンが第一押圧部及び第二押圧部よりも上方に露出しないため意匠的外観にも優れたキッチン用オイルガードを提供することが可能である。
【００１９】
請求項５記載の発明によれば、上述したキッチン用オイルガードを備えた加熱調理器側から板材を搬入し、板材をカウンター上面に対して略垂直方向に維持した状態で、カウンター上面にバランスよく安定して固定された第一フレーム部材の台座部に仮置きすることができるため、加熱調理器の左右に隣設されたシンクの蛇口等によって側方から板材を取付けることが困難な場合であっても容易に仮置き及び取付けが可能なキッチンを提供することが可能である。
【図面の簡単な説明】
【００２０】
【図１】本発明の実施形態に係るキッチン用オイルガード及びそれを備えたキッチンの一例を示す斜視図である。
【図２】図１に示すキッチン用オイルガードの分解斜視図である。
【図３】図１に示すキッチン用オイルガードの取付具周辺の部分拡大分解斜視図である。
【図４】図１に示すキッチン用オイルガードの取付具周辺の(a)部分拡大正面図、及び、(b)部分拡大側面図である。
【図５】図４の(a)A−A線断面図、(b)B−B線断面図、及び、(c)C−C線断面図である。
【図６】図１に示すサイドキャップのみの(a)内側端面図、及び、(b)E−E線断面図である。
【発明を実施するための形態】
【００２１】
（実施形態）
本発明の実施形態について図に基づいて詳細に説明する。
キッチンＫは、図１に示すように、加熱調理器２５と、シンク２３と、がカウンター上面２１に配設され、該加熱調理器２５の上方に配置されたレンジフード２６と、該レンジフード２６と該加熱調理器２５との間にダイニングＤ側とを仕切きることで油はね・煙・蒸気等がダイニングＤ側へ侵入するのを防ぐことが可能なキッチン用オイルガード１０と、を備えてなるものである。
【００２２】
キッチン用オイルガード１０は、板材１１０と、加熱調理器２５とレンジフード２６との間においてカウンター上面２１とレンジフード下面２７に対して略垂直方向に板材１１０の下端部１１１の長手方向全体を保持して取り付けるための取付具１２０と、からなるものである。
【００２３】
取付具１２０は、カウンター上面２１に固定され、板材１１０の下端部１１１のダイニングＤ側背面を押圧する第一フレーム部材１２１と、板材１１０の下端部１１１のキッチンＫ側正面を押圧する第二フレーム部材１２２と、第一フレーム部材１２１及び第二フレーム部材１２２の側面に装着するサイドキャップ１２３と、の別部材からなるものである。この第一フレーム部材１２１及び第二フレーム部材１２２はアルミ等の金属材押出成形によって形成されることが好ましい（図２、図３参照）。
【００２４】
第一フレーム部材１２１は、板材１１０の下端部１１１のダイニングＤ側背面を保持する第一押圧部１２１ａと、該第一押圧部１２１ａの下端から略直角方向に延設された板材１１０を載置するための台座部１２１ｄと、該台座部１２１ｄをカウンター上面から所定の高さｙ（図５参照）の位置で支持するキッチンＫ側の前脚部１２１ｈ及びダイニング側の後脚部１２１ｉと、からなる断面略ｈ型形状のものである（図３、図４参照）。
【００２５】
台座部１２１ｄは、キッチンＫ側の前脚部１２１ｈ及びダイニングＤ側の後脚部１２１ｉに比べて肉厚にして、固定ネジ１２５ａを挿入してカウンター上面２１に第一フレーム部材１２１を固定するための開孔部１２１ｅと、固定ネジ１２５ｃをねじ込んで後述するサイドキャップ１２３を固定するためのネジ穴１２１ｇと、を備えるものである（図３参照）。また、この台座部１２１ｄにおける板材１１０の下端部１１１と接触する部分には、塩化ビニルなどの合成樹脂材からなる複数の略方形薄板状の緩衝部材１２６、１２６を貼着することが好ましい（図２、図３、図５参照）。
【００２６】
前脚部１２１ｈは、固定ネジ１２５ｂをねじ込んで後述する第二フレーム部材１２２を固定するためのネジ穴１２１ｆを備えるものである（図３、図５(b)参照）。
【００２７】
また、上述したこれらの開孔部１２１ｅと、ネジ穴１２１ｆ、１２１ｇと、はカウンター上面２１から所定高さｙに配置するように形成されることが好ましい（図５参照）。
【００２８】
第一押圧部１２１ａは、板材１１０の下端部１１１のダイニング側背面を押圧する押圧面１２１ｂを備え、該第一押圧面１２１ｂは、後述する断面略Ｅ型形状のパッキン１２４を第一押圧部１２１ａよりも上方に突出しないように取付けやすくするために複数の溝からなる凹条部１２１ｃが形成されていることが好ましい（図３、図５参照）。
【００２９】
第二フレーム部材１２２は、第一フレーム部材１２１の台座部１２１ｄに載置された板材１１０の下端部１１１のキッチンＫ側正面を保持する第二押圧部１２２ａと、該第二押圧部１２２ａの下端方向に延設された第一フレーム部材１２１の前脚部１２１ｈと固定する固定部１２２ｄと、が断面略Ｉ型形状で形成されたものである。この固定部１２２ｄは、第一フレーム部材１２１の前脚部１２１ｈと該固定部１２２ｄとを固定ネジ１２５ｂを挿入して固定するための開孔部１２２ｆが設けられているものである（図３、図５参照）。
【００３０】
第二押圧部１２２ａは、板材１１０の下端部１１１のキッチンＫ側正面を押圧する押圧面１２２ｂを備え、該押圧面１２２ｂは、後述する断面略Ｅ型形状のパッキン１２４を取付けやすくするために複数の凹条部１２２ｃが形成されていることが好ましい。
【００３１】
サイドキャップ１２３は、図２及び図４に示すように、第一フレーム部材１２１と第二フレーム部材１２２とが固定された状態で、それらの第一フレーム部材１２１及び第二フレーム部材１２２の端面を覆うように断面略コ字状に形成され、固定ネジ１２５ｃを挿入して固定するための開孔部１２３ａが設けられている（図３、図６）。
【００３２】
パッキン１２４は、第一フレーム部材１２１及び第二フレーム部材１２２の押圧面１２１ｂ、１２２ｂのそれぞれに取付けられるものであり、軟質性の合成樹脂材を押出成形によって押圧面１２１ｂ、１２２ｂの凹条部１２１ｃ、１２２ｃに嵌合し得るように断面略Ｅ型形状に形成されたもので、その中央の凸部１２４ａがその両端の凸部に比べて突出するように形成するとともに、その中央の凸部１２４ａの上下両端面に凹条部１２１ｃ、１２２ｃに係止し得る先端に丸みを帯びた返し片を有する断面Ｔ字状の係止突起１２４ｂ、１２４ｂを設けることが好ましい（図３、図５参照）。
【００３３】
なお、レンジフード下面２７側においても板材１１０の上端部１１２をレンジフード下面２７側に対して取付具１２０で取付けてもよく、該取付具１２０は、カウンター上面２１に板材１１０の下端部１１１を取り付ける取付具１２０と共通のものであるため、図面に符号を付し詳細な説明については省略する。
【００３４】
次に、上述した構成からなるキッチン用オイルガード１０をカウンター上面２１とレンジフード下面２７との間に取り付ける取付工程（S1−S5）について詳細に説明する（図１、図３、図５参照）。
【００３５】
(S1)はじめに、第一フレーム部材１２１をカウンター上面２１の所定の取付位置に配置し、第一フレーム部材１２１の台座部１２１ｄに形成された開孔部１２１ｅに固定ネジ１２５ａを挿入した後、カウンター上面２１のネジ穴２２にねじ込むことで固定する。このとき、あらかじめ第一フレーム部材１２１の押圧面１２１ｂの凹条部１２１ｃにパッキン１２４を嵌合装着させておく。
【００３６】
(S2)上記取付工程(S1)で固定された第一フレーム部材１２１の台座部１２１ｄにキッチンＫ（或いは加熱調理器２５）側から板材１１０を搬入し、該板材１１０を台座部１２１ｄに仮置きする。このとき、板材１１０を台座部１２１ｄに仮置きした状態にして、板材１１０が所望の取付位置に仮置きされているかを確認しながら、長手方向である左右方向に移動させて位置を調整する。
【００３７】
(S3)次に、第二フレーム部材１２２の押圧面１２２ｂの凹条部１２２ｃにパッキン１２４を装着しておき、第二フレーム部材１２２の固定部１２２ｄを、キッチンＫ（或いは加熱調理器２５）側から第一フレーム部材１２１の前脚部１２１ｈに合わせながら、固定部１２２ｄの開孔部１２２ｆに固定ネジ１２５ｂを挿入した後、前脚部１２１ｈのネジ穴１２１ｆにねじ込むことで、第一フレーム部材１２１に第二フレーム部材１２２を固定する。このとき、固定ネジ１２５ｂを締付けつけることで、第一フレーム部材１２１及び第二フレーム部材１２２の押圧面１２１ｂ、１２２ｂがパッキン１２４、１２４を介して板材１１０の下端部１１１全体を押圧することで、板材１１０がカウンター上面２１に対して立設するように保持される。
【００３８】
(S4)第一フレーム部材１２１と、第二フレーム部材１２２と、が板材１１０を保持した状態において、両部材１２１、１２２の両端面にサイドキャップ１２３を装着した後、サイドキャップ１２３の開孔部１２３ａに固定ネジ１２５ｃを挿入して第一フレーム部材１２１のネジ穴１２１ｇにねじ込むことで、サイドキャップ１２３を第一フレーム部材１２１及び第二フレーム部材１２２の両端面を覆うように固定するものである。
【００３９】
(S5)なお、上述した取付工程（S1−S3）と並行して、レンジフード下面２７にも第一フレーム部材１２１及び第二フレーム部材１２２を同様の取付工程を経て、板材１１０の上端部１１２を第一フレーム部材１２１及び第二フレーム部材１２２の押圧面１２１ｂ、１２２ｂとで押圧することで板材１１０が保持される。また、板材１１０の上端部１１２と台座部１２１ｄとの間には、レンジフード下面２７に固定された第一フレーム部材１２１の台座部１２１ｄと板材１１０の上端部１１２とが接触しないように隙間Ｓを設けることが好ましい（図５参照）。
【００４０】
したがって、上述した本実施形態によって、第一フレーム部材１２１の台座部１２１ｄとカウンター上面２１とを固定ネジ１２５ａで固定することで、第一フレーム部材１２１の前脚部１２１ｈ及び後脚部１２１ｉに対してバランスよく板材１１０の荷重を分散させ、板材１１０を安定して仮置きさせることが可能である。また、それに伴って、第二フレーム部材１２２の第二押圧部１２２ａによって板材１１０を挟持していない状態でも板材１１０の左右方向の取付位置を容易に調整することできるとともに、板材１１０と取付具１２０との取り付け時に生じる摩擦による損傷を防止することができるキッチン用オイルガード１０を提供することが可能である。
【００４１】
また、第一押圧部１２１ａ及び第二押圧部１２２ａの押圧面１２１ｂ、１２２ｂの凹条部１２１ｃ、１２２ｃにパッキン１２４、１２４を予め嵌合装着することで、板材１１０と押圧面１２１ｂ、１２２ｂとの隙間をしっかりと密閉かつ押圧保持することができるとともに、パッキン１２４、１２４が第一押圧部１２１ａ及び第二押圧部１２２ａよりも上方に露出しないため意匠的外観にも優れたキッチン用オイルガード１０を提供することが可能である。
【００４２】
また、上述したキッチン用オイルガード１０をキッチンＫに備えることによって、キッチンＫ（或いは加熱調理器２５）側から板材１１０を搬入し、板材１１０をカウンター上面に対して略垂直方向に維持した状態で、カウンター上面２１にバランスよく安定して固定された第一フレーム部材１２１の台座部１２１ｄに仮置きすることができるため、加熱調理器２５の左右に隣設したシンク２３の蛇口２４等によって側方である左右方向の移動が制限されて困難である場合にも板材１１０を容易に仮置き及び取り付けることが可能なキッチンＫを提供することが可能である。
【００４３】
上記の実施形態では本発明の好ましい実施形態を例示したが、本発明は上記の実施形態に限定されるものではなく、特許請求の範囲に記載した範囲内で改善や変更が可能である。例えば、カウンター上面２１に固定された取付具１２０によって板材１１０が立設するように保持することができれば、レンジフード下面２７に固定する取付具１２０を設置せずに省略することも可能である（図示しない）。また、キッチンに対峙する間取りがリビングである場合、上述したダイニングＤをリビングに変更することが可能である。
【符号の説明】
【００４４】
K…キッチン、D…ダイニング、y…高さ、s…隙間、
20…カウンター、21…カウンター上面、22…ネジ穴、23…シンク、24…蛇口、25…加熱調理器、26…レンジフード、27…レンジフード下面、
10…キッチン用オイルガード
110…板材、111…下端部、112…上端部、
120…取付具、
121…第一フレーム部材、121a…第一押圧部、121b…押圧面、121c…凹条部、121d…台座部、121e…開孔部、121f…ネジ穴、121g…ネジ穴、121h…前脚部、121i…後脚部、
122…第二フレーム部材、122a…第二押圧部、122b…押圧面、122c…凹条部、122d…固定部、122f…開孔部、
123…サイドキャップ、123a…開孔部、
124…パッキン、124a…凸部、124b…係止突起、
125a、125b、125c…固定ネジ、126…緩衝部材、
【図１】
2019088556.tif 000003
【図２】
2019088556.tif 000004
【図３】
2019088556.tif 000005
【図４】
2019088556.tif 000006
【図５】
2019088556.tif 000007
【図６】
2019088556.tif 000008
【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
板材と、該板材の下端部全体を保持してキッチンのカウンター上面に取り付ける取付具と、からなるキッチン用オイルガードであって、前記取付具は、前記板材の前記下端部の長手方向全体のダイニング側背面を押圧する第一押圧部を有する第一フレーム部材と、前記板材の前記下端部の長手方向全体のキッチン側正面を押圧する第二押圧部を有する第二フレーム部材と、の別体で形成され、
前記第一フレーム部材は、前記第一押圧部の下端から略直角方向に延設された前記板材を載置する台座部と、該台座部を前記カウンター上面から所定の高さで支持するキッチン側の前脚部及びダイニング側の後脚部と、からなる断面略ｈ型形状に形成され、
前記第二フレーム部材は、第二押圧部と、前記第一フレーム部材の前脚部と固定する固定部と、を備えるように断面略Ｉ型形状で形成され、
第一フレーム部材の第一押圧部及び第二フレーム部材の第二押圧部は、凸部を有するパッキンを介して板材を押圧する押圧面を備え、該押圧面は、前記パッキンの前記凸部を嵌合し得る凹条部と、
前記パッキンの凸部の上下両端面には、前記凹条部と係止し得るように形成された返し片を有する断面Ｔ字状の係止突起と、
を有することを特徴とするキッチン用オイルガード。
【請求項２】
台座部は、キッチンのカウンター上面にねじ込んで第一フレーム部材を固定するための固定ネジを挿入するための開孔部を有することを特徴とする請求項１記載のキッチン用オイルガード。
【請求項３】
板材の上端部の長手方向全体を保持し、レンジフード下面に固定する取付具を有することを特徴とする請求項１又は２のいずれか一項に記載のキッチン用オイルガード。
【請求項４】
キッチンの対面側にダイニングが間取りされたキッチンと、該キッチンのカウンター上面に配設された加熱調理器と、該加熱調理器上方に配設されたレンジフードと、前記加熱調理器と前記ダイニングとを仕切るように取り付けられた請求項１ないし３のいずれか一項に記載のキッチン用オイルガードと、を有することを特徴とするキッチン。
【手続補正２】
【補正対象書類名】明細書
【補正対象項目名】全文
【補正方法】変更
【補正の内容】
【発明の詳細な説明】
【技術分野】
【０００１】
本発明は、キッチンのカウンター上面に固定された取付具によって板材の端部の全体を保持して、カウンター上面に板材を立設させたキッチン用オイルガード及びそれを備えたキッチンに関する。
【背景技術】
【０００２】
従来、コンロなどの加熱調理器で加熱調理中に生じる油はねによってキッチンの対面側に間取りされたダイニングが汚れないようにするとともに、加熱によって生じる煙・蒸気などをレンジフードに誘導するために、加熱調理器周辺のカウンターの上面とレンジフードとの間に設けられたオイルガード及びそれを備えたキッチンがある。
【０００３】
例えば、特許文献１には、レンジフード下端部に固定する上部５１と、この上部５１より下側に設けられパーティションの上端部に固定する下部５２と、からなる連結部材５０及びそれを用いたシステムキッチンが提案されている。
【０００４】
また、特許文献２には、キッチンカウンター２側とレンジフード５側の上下にそれぞれに取付けることができる横フレーム１１と、横フレーム１１の溝１１２１内にガスケット１３を嵌入して、そのガスケット１３の挟持片１３１の間に上下両端を挾み込んで固定される連結板１０を備えた対面型キッチンが提案されている。
【０００５】
また、特許文献３には、互いに対峙して衝立パネル５の下端部５ａを挟持するように分割された一対の台座部材４０及び挟込部材４１から構成される支柱部材４を備えたキッチン用スクリーンが提案されている。
【先行技術文献】
【特許文献】
【０００６】
【特許文献１】特開２０１３−１０４６３４号公報
【特許文献２】特開２０１１−２４４９１８号公報（特許第５５７８９３８号）
【特許文献３】特開２０１０−１１９５３号公報（特許第５２５５９２７号）
【発明の概要】
【発明が解決しようとする課題】
【０００７】
上述のキッチン用オイルガードを構成する板材は、カウンターの上面からレンジフードとの間までの高さの縦幅と、加熱調理器の幅と同程度以上の横幅とを有する板材であり、該板材は、加熱調理時に発生する熱による変形や腐食に対して耐久性を有するとともに、キッチンの対面側にダイニングが間取りされた空間を見渡せるように、ガラスなどの透明かつ硬質の材質を主体とする板材が用いられているため、重量及び形状（縦幅、横幅等）等が大きくなる。
【０００８】
そのような重量及び形状の大きい板材を特許文献１の連結部材でレンジフードに取り付ける場合、板材に固定された下部を、レンジフードに固定された上部に対して、上下左右方向に動かしながら取り付け位置の調整をしなければならず、板材の重量及び形状が大きくなるにつれて作業効率が低下するおそれがある。
【０００９】
また、特許文献２に記載された横フレームでカウンターの上面に取り付ける場合、側方から連結板を溝に挿入、又は、上方から溝に押し込むように連結板を取り付けるに際して連結板と横フレームとの接触によって生じる摩擦から連結板や横フレーム等が損傷してしまうおそれがある。
【００１０】
また、特許文献３に記載されたキッチン用スクリーンの挟込部材に衝立パネルを挟持させる場合、特許文献２に記載された横フレームと同様に、衝立パネルの取付位置を調整するために左右方向に移動させる際に、挟持部材と衝立パネルとの接触による摩擦から、挟持部材や衝立パネル等が損傷してしまうおそれがある。
【００１１】
したがって、重量及び形状の大きい板材を取り付ける場合においても、取付位置の調整を容易にすることができるとともに、板材と取付具との取り付け時の接触による摩擦からの損傷を防止することが可能であるキッチン用オイルガード及びそれを備えたキッチンを提供することが望まれている。
【課題を解決するための手段】
【００１２】
本発明は、上記課題に鑑み、板材と、該板材の下端部全体を保持してキッチンのカウンター上面に取り付ける取付具と、からなるキッチン用オイルガードであって、前記取付具は、前記板材の前記下端部の長手方向全体のダイニング側背面を押圧する第一押圧部を有する第一フレーム部材と、前記板材の前記下端部の長手方向全体のキッチン側正面を押圧する第二押圧部を有する第二フレーム部材と、の別体で形成され、
前記第一フレーム部材は、前記第一押圧部の下端から略直角方向に延設された前記板材を載置する台座部と、該台座部を前記カウンター上面から所定の高さで支持するキッチン側の前脚部及びダイニング側の後脚部と、からなる断面略ｈ型形状に形成され、
前記第二フレーム部材は、第二押圧部と、前記第一フレーム部材の前脚部と固定する固定部と、を備えるように断面略Ｉ型形状で形成され、
第一フレーム部材の第一押圧部及び第二フレーム部材の第二押圧部は、凸部を有するパッキンを介して板材を押圧する押圧面を備え、該押圧面は、前記パッキンの前記凸部を嵌合し得る凹条部と、
前記パッキンの凸部の上下両端面には、前記凹条部と係止し得るように形成された返し片を有する断面Ｔ字状の係止突起と、を有することを特徴とするキッチン用オイルガードである。
【００１３】
また、上述した構成に加え、台座部は、キッチンのカウンター上面にねじ込んで第一フレーム部材を固定するための固定ネジを挿入するための開孔部を有することが好ましい。
【００１４】
また、上述した構成に加え、板材の上端部の長手方向全体を保持し、レンジフード下面に固定する取付具を有することを特徴とするキッチン用オイルガードである。
【００１５】
また、キッチンの対面側にダイニングが間取りされたキッチンと、該キッチンのカウンター上面に配設された加熱調理器と、該加熱調理器上方に配設されたレンジフードと、前記加熱調理器と前記ダイニングとを仕切るように取り付けられた上述した構成からなるキッチン用オイルガードと、を有することを特徴とするキッチンである。
【発明の効果】
【００１６】
請求項１ないし３記載の発明によれば、第一フレーム部材の台座部とカウンター上面とを固定ネジで固定することで、第一フレーム部材の前脚部及び後脚部に対して台座部の概ね中心位置を固定することで、板材の荷重を前脚部及び後脚部にバランスよく分散させ安定して仮置させることができ、それに伴って、第二フレーム部材の第二押圧部によって板材を挟持していない状態であるために板材の取付位置を容易に調整することができるとともに、取付具に取り付ける際に板材と取付具との接触によって生じる摩擦による損傷を防止することができるキッチン用オイルガードを提供することが可能である
【００１７】
また、請求項１ないし３記載の発明によれば、押圧面の凹条部にパッキンを予め嵌合装着することで、板材と押圧面との隙間をしっかりと密閉かつ押圧保持することができるとともに、パッキンが第一押圧部及び第二押圧部よりも上方に露出しないため意匠的外観にも優れたキッチン用オイルガードを提供することが可能である。
【００１８】
請求項４記載の発明によれば、上述したキッチン用オイルガードを備えた加熱調理器側から板材を搬入し、板材をカウンター上面に対して略垂直方向に維持した状態で、カウンター上面にバランスよく安定して固定された第一フレーム部材の台座部に仮置きすることができるため、加熱調理器の左右に隣設されたシンクの蛇口等によって側方から板材を取付けることが困難な場合であっても容易に仮置き及び取付けが可能なキッチンを提供することが可能である。
【図面の簡単な説明】
【００１９】
【図１】本発明の実施形態に係るキッチン用オイルガード及びそれを備えたキッチンの一例を示す斜視図である。
【図２】図１に示すキッチン用オイルガードの分解斜視図である。
【図３】図１に示すキッチン用オイルガードの取付具周辺の部分拡大分解斜視図である。
【図４】図１に示すキッチン用オイルガードの取付具周辺の(a)部分拡大正面図、及び、(b)部分拡大側面図である。
【図５】図４の(a)A−A線断面図、(b)B−B線断面図、及び、(c)C−C線断面図である。
【図６】図１に示すサイドキャップのみの(a)内側端面図、及び、(b)E−E線断面図である。
【発明を実施するための形態】
【００２０】
（実施形態）
本発明の実施形態について図に基づいて詳細に説明する。
キッチンＫは、図１に示すように、加熱調理器２５と、シンク２３と、がカウンター上面２１に配設され、該加熱調理器２５の上方に配置されたレンジフード２６と、該レンジフード２６と該加熱調理器２５との間にダイニングＤ側とを仕切きることで油はね・煙・蒸気等がダイニングＤ側へ侵入するのを防ぐことが可能なキッチン用オイルガード１０と、を備えてなるものである。
【００２１】
キッチン用オイルガード１０は、板材１１０と、加熱調理器２５とレンジフード２６との間においてカウンター上面２１とレンジフード下面２７に対して略垂直方向に板材１１０の下端部１１１の長手方向全体を保持して取り付けるための取付具１２０と、からなるものである。
【００２２】
取付具１２０は、カウンター上面２１に固定され、板材１１０の下端部１１１のダイニングＤ側背面を押圧する第一フレーム部材１２１と、板材１１０の下端部１１１のキッチンＫ側正面を押圧する第二フレーム部材１２２と、第一フレーム部材１２１及び第二フレーム部材１２２の側面に装着するサイドキャップ１２３と、の別部材からなるものである。この第一フレーム部材１２１及び第二フレーム部材１２２はアルミ等の金属材押出成形によって形成されることが好ましい（図２、図３参照）。
【００２３】
第一フレーム部材１２１は、板材１１０の下端部１１１のダイニングＤ側背面を保持する第一押圧部１２１ａと、該第一押圧部１２１ａの下端から略直角方向に延設された板材１１０を載置するための台座部１２１ｄと、該台座部１２１ｄをカウンター上面から所定の高さｙ（図５参照）の位置で支持するキッチンＫ側の前脚部１２１ｈ及びダイニング側の後脚部１２１ｉと、からなる断面略ｈ型形状のものである（図３、図４参照）。
【００２４】
台座部１２１ｄは、キッチンＫ側の前脚部１２１ｈ及びダイニングＤ側の後脚部１２１ｉに比べて肉厚にして、固定ネジ１２５ａを挿入してカウンター上面２１に第一フレーム部材１２１を固定するための開孔部１２１ｅと、固定ネジ１２５ｃをねじ込んで後述するサイドキャップ１２３を固定するためのネジ穴１２１ｇと、を備えるものである（図３参照）。また、この台座部１２１ｄにおける板材１１０の下端部１１１と接触する部分には、塩化ビニルなどの合成樹脂材からなる複数の略方形薄板状の緩衝部材１２６、１２６を貼着することが好ましい（図２、図３、図５参照）。
【００２５】
前脚部１２１ｈは、固定ネジ１２５ｂをねじ込んで後述する第二フレーム部材１２２を固定するためのネジ穴１２１ｆを備えるものである（図３、図５(b)参照）。
【００２６】
また、上述したこれらの開孔部１２１ｅと、ネジ穴１２１ｆ、１２１ｇと、はカウンター上面２１から所定高さｙに配置するように形成されることが好ましい（図５参照）。
【００２７】
第一押圧部１２１ａは、板材１１０の下端部１１１の長手方向全体のダイニング側背面を押圧する押圧面１２１ｂを備え、該第一押圧面１２１ｂは、後述する断面略Ｅ型形状のパッキン１２４を第一押圧部１２１ａよりも上方に突出しないように取付けやすくするために複数の溝からなる凹条部１２１ｃが形成されていることが好ましい（図３、図５参照）。
【００２８】
第二フレーム部材１２２は、第一フレーム部材１２１の台座部１２１ｄに載置された板材１１０の下端部１１１の長手方向全体のキッチンＫ側正面を保持する第二押圧部１２２ａと、該第二押圧部１２２ａの下端方向に延設された第一フレーム部材１２１の前脚部１２１ｈと固定する固定部１２２ｄと、が断面略Ｉ型形状で形成されたものである。この固定部１２２ｄは、第一フレーム部材１２１の前脚部１２１ｈと該固定部１２２ｄとを固定ネジ１２５ｂを挿入して固定するための開孔部１２２ｆが設けられているものである（図３、図５参照）。
【００２９】
第二押圧部１２２ａは、板材１１０の下端部１１１のキッチンＫ側正面を押圧する押圧面１２２ｂを備え、該押圧面１２２ｂは、後述する断面略Ｅ型形状のパッキン１２４を取付けやすくするために複数の凹条部１２２ｃが形成されていることが好ましい。
【００３０】
サイドキャップ１２３は、図２及び図４に示すように、第一フレーム部材１２１と第二フレーム部材１２２とが固定された状態で、それらの第一フレーム部材１２１及び第二フレーム部材１２２の端面を覆うように断面略コ字状に形成され、固定ネジ１２５ｃを挿入して固定するための開孔部１２３ａが設けられている（図３、図６）。
【００３１】
パッキン１２４は、第一フレーム部材１２１及び第二フレーム部材１２２の押圧面１２１ｂ、１２２ｂのそれぞれに取付けられるものであり、軟質性の合成樹脂材を押出成形によって押圧面１２１ｂ、１２２ｂの凹条部１２１ｃ、１２２ｃに嵌合し得るように断面略Ｅ型形状に形成されたもので、その中央の凸部１２４ａがその両端の凸部に比べて突出するように形成するとともに、その中央の凸部１２４ａの上下両端面に凹条部１２１ｃ、１２２ｃに係止し得る先端に丸みを帯びた返し片を有する断面Ｔ字状の係止突起１２４ｂ、１２４ｂを設けることが好ましい（図３、図５参照）。
【００３２】
なお、レンジフード下面２７側においても板材１１０の上端部１１２をレンジフード下面２７側に対して取付具１２０で取付けてもよく、該取付具１２０は、カウンター上面２１に板材１１０の下端部１１１を取り付ける取付具１２０と共通のものであるため、図面に符号を付し詳細な説明については省略する。
【００３３】
次に、上述した構成からなるキッチン用オイルガード１０をカウンター上面２１とレンジフード下面２７との間に取り付ける取付工程（S1−S5）について詳細に説明する（図１、図３、図５参照）。
【００３４】
(S1)はじめに、第一フレーム部材１２１をカウンター上面２１の所定の取付位置に配置し、第一フレーム部材１２１の台座部１２１ｄに形成された開孔部１２１ｅに固定ネジ１２５ａを挿入した後、カウンター上面２１のネジ穴２２にねじ込むことで固定する。このとき、あらかじめ第一フレーム部材１２１の押圧面１２１ｂの凹条部１２１ｃにパッキン１２４を嵌合装着させておく。
【００３５】
(S2)上記取付工程(S1)で固定された第一フレーム部材１２１の台座部１２１ｄにキッチンＫ（或いは加熱調理器２５）側から板材１１０を搬入し、該板材１１０を台座部１２１ｄに仮置きする。このとき、板材１１０を台座部１２１ｄに仮置きした状態にして、板材１１０が所望の取付位置に仮置きされているかを確認しながら、長手方向である左右方向に移動させて位置を調整する。
【００３６】
(S3)次に、第二フレーム部材１２２の押圧面１２２ｂの凹条部１２２ｃにパッキン１２４を装着しておき、第二フレーム部材１２２の固定部１２２ｄを、キッチンＫ（或いは加熱調理器２５）側から第一フレーム部材１２１の前脚部１２１ｈに合わせながら、固定部１２２ｄの開孔部１２２ｆに固定ネジ１２５ｂを挿入した後、前脚部１２１ｈのネジ穴１２１ｆにねじ込むことで、第一フレーム部材１２１に第二フレーム部材１２２を固定する。このとき、固定ネジ１２５ｂを締付けつけることで、第一フレーム部材１２１及び第二フレーム部材１２２の押圧面１２１ｂ、１２２ｂがパッキン１２４、１２４を介して板材１１０の下端部１１１全体を押圧することで、板材１１０がカウンター上面２１に対して立設するように保持される。
【００３７】
(S4)第一フレーム部材１２１と、第二フレーム部材１２２と、が板材１１０を保持した状態において、両部材１２１、１２２の両端面にサイドキャップ１２３を装着した後、サイドキャップ１２３の開孔部１２３ａに固定ネジ１２５ｃを挿入して第一フレーム部材１２１のネジ穴１２１ｇにねじ込むことで、サイドキャップ１２３を第一フレーム部材１２１及び第二フレーム部材１２２の両端面を覆うように固定するものである。
【００３８】
(S5)なお、上述した取付工程（S1−S3）と並行して、レンジフード下面２７にも第一フレーム部材１２１及び第二フレーム部材１２２を同様の取付工程を経て、板材１１０の上端部１１２を第一フレーム部材１２１及び第二フレーム部材１２２の押圧面１２１ｂ、１２２ｂとで押圧することで板材１１０が保持される。また、板材１１０の上端部１１２と台座部１２１ｄとの間には、レンジフード下面２７に固定された第一フレーム部材１２１の台座部１２１ｄと板材１１０の上端部１１２とが接触しないように隙間Sを設けることが好ましい（図５参照）。
【００３９】
したがって、上述した本実施形態によって、第一フレーム部材１２１の台座部１２１ｄとカウンター上面２１とを固定ネジ１２５ａで固定することで、第一フレーム部材１２１の前脚部１２１ｈ及び後脚部１２１ｉに対してバランスよく板材１１０の荷重を分散させ、板材１１０を安定して仮置きさせることが可能である。また、それに伴って、第二フレーム部材１２２の第二押圧部１２２ａによって板材１１０を挟持していない状態でも板材１１０の左右方向の取付位置を容易に調整することできるとともに、板材１１０と取付具１２０との取り付け時に生じる摩擦による損傷を防止することができるキッチン用オイルガード１０を提供することが可能である。
【００４０】
また、第一押圧部１２１ａ及び第二押圧部１２２ａの押圧面１２１ｂ、１２２ｂの凹条部１２１ｃ、１２２ｃにパッキン１２４、１２４を予め嵌合装着することで、板材１１０と押圧面１２１ｂ、１２２ｂとの隙間をしっかりと密閉かつ押圧保持することができるとともに、パッキン１２４、１２４が第一押圧部１２１ａ及び第二押圧部１２２ａよりも上方に露出しないため意匠的外観にも優れたキッチン用オイルガード１０を提供することが可能である。
【００４１】
また、上述したキッチン用オイルガード１０をキッチンＫに備えることによって、キッチンＫ（或いは加熱調理器２５）側から板材１１０を搬入し、板材１１０をカウンター上面に対して略垂直方向に維持した状態で、カウンター上面２１にバランスよく安定して固定された第一フレーム部材１２１の台座部１２１ｄに仮置きすることができるため、加熱調理器２５の左右に隣設したシンク２３の蛇口２４等によって側方である左右方向の移動が制限されて困難である場合にも板材１１０を容易に仮置き及び取付けることが可能なキッチンＫを提供することが可能である。
【００４２】
上記の実施形態では本発明の好ましい実施形態を例示したが、本発明は上記の実施形態に限定されるものではなく、特許請求の範囲に記載した範囲内で改善や変更が可能である。例えば、カウンター上面２１に固定された取付具１２０によって板材１１０が立設するように保持することができれば、レンジフード下面２７に固定する取付具１２０を設置せずに省略することも可能である（図示しない）。また、キッチンに対峙する間取りがリビングである場合、上述したダイニングＤをリビングに変更することが可能である。
【符号の説明】
【００４３】
K…キッチン、D…ダイニング、y…高さ、s…隙間、
20…カウンター、21…カウンター上面、22…ネジ穴、23…シンク、24…蛇口、25…加熱調理器、26…レンジフード、27…レンジフード下面、
10…キッチン用オイルガード
110…板材、111…下端部、112…上端部、
120…取付具、
121…第一フレーム部材、121a…第一押圧部、121b…押圧面、121c…凹条部、121d…台座部、121e…開孔部、121f…ネジ穴、121g…ネジ穴、121h…前脚部、121i…後脚部、
122…第二フレーム部材、122a…第二押圧部、122b…押圧面、122c…凹条部、122d…固定部、122f…開孔部、
123…サイドキャップ、123a…開孔部、
124…パッキン、124a…凸部、124b…係止突起、
125a、125b、125c…固定ネジ、126…緩衝部材。